(57)【要約】      （修正有）【課題】燃料供給機での異常内容を確認できること。【解決手段】  燃料供給機は、セルフサービス方式であるので、予め決められた制限量が供給されたとき、あるいは給液ポンプが起動されてから所定時間が経過しても燃料供給が終了しない場合には、給液ポンプを強制的に自動停止させて過剰な燃料供給を防止する停止機能が設けられている。予め決められた制限量が供給されたときの停止の場合、例えば、ブザー音を発声すると共に、「給液ポイント〔３〕給液量制限に到達しました」といったメッセージ１０２がモニタ８４の画面中央に拡大表示される。これにより、係員は、給液ポイント〔３〕において、給液量制限によるポンプ停止が行われたことを即座に確認することができる。そのため、モニタ８４を見ていた係員は、その場で停止理由を顧客に説明して、給液停止を解除させる操作を行うことができる。【選択図】  図８
2005067684.tif 000002
【特許請求の範囲】
【請求項１】
被燃料供給体に対して燃料を供給するための燃料供給機と、
該燃料供給機自体の故障以外の異常を検出するための異常検出手段と、
該異常検出手段により異常が検出された場合に前記燃料供給機による燃料供給を停止させる停止手段と、
該停止手段により燃料供給が停止された情報を記憶する記憶手段と、
該記憶手段に記憶された情報に基づいて停止理由をモニタに表示する表示手段と、
を備えたことを特徴とする燃料供給システム。
【請求項２】
前記異常検出手段は、前記燃料供給機から供給された燃料の供給量が所定量に達した場合に異常を検出することを特徴とする請求項１に記載の燃料供給システム。
【請求項３】
前記異常検出手段は、前記燃料供給機を用いての燃料の供給可能状態が所定時間維持された場合に異常を検出することを特徴とする請求項１に記載の燃料供給システム。
【発明の詳細な説明】
【技術分野】
【０００１】
本発明は燃料供給システムに係り、特に燃料供給機で何らかの異常が発生した場合に当該燃料供給機よりの燃料の供給を自動的に停止させる機能を有する燃料供給システムに関する。
【背景技術】
【０００２】
給液所に設置されるセルフサービス方式の燃料供給機では、顧客自身が液種の選択、供給方式（満タン方式かプリセット方式）の選択、支払い方法（現金かプリペイドカードかクレジットカード）の選択などを行い、事務所の係員が安全を確認した上で事務所内に設けられた燃料供給許可機を用いて前記燃料供給機に対して許可操作すると顧客自身による車両への燃料供給が可能になる。
【０００３】
この種の燃料供給機では、顧客である車両の運転者自身が操作することになるので、運転者の中には操作に慣れていない初心者も含まれるため、操作ミスによって何らかの異常が発生した場合には、異常を検知して異常個所を表示する機能が設けられている（例えば、特許文献１参照）。
【０００４】
また、セルフサービス方式の場合、予め決められた制限量が供給されたとき、あるいは燃料供給許可が出力されて給液ポンプが起動されてから所定時間が経過しても燃料供給が終了しない場合には、過剰な燃料供給を防止するため、給液ノズルがノズル掛けに戻されていなくてもポンプを強制的に自動停止させる停止機能が設けられている燃料供給機もある。
【特許文献１】特開平８−２６８５００号公報
【発明の開示】
【発明が解決しようとする課題】
【０００５】
従来の燃料供給システムでは、機器の故障などで異常が発生した場合には、異常個所が表示されることにより、メンテナンスを速やかに行うことが可能になるが、機器の故障ではなく顧客（運転者）の操作ミスなどにより停止機能が作動してポンプ停止になった場合、機器自体に異常は無いため異常個所が表示されないことにより、給液所の係員は、燃料供給機で停止機能が作動したことが分からない状況になっている。
【０００６】
一方、燃料供給を行っている顧客は、計量機の制限機能により燃料供給が突然停止した場合、例えば、車両のガラスを拭いてから燃料供給を開始するなどして燃料供給が遅れたのが原因であることが分からず、事務所の係員に苦情を言うことになる。
【０００７】
しかしながら、給液所の係員は、燃料供給機の状態がどのようになっているのかが分からないため、事務所から当該燃料供給機の設置場所に移動して原因を調べてから対処方法を考えることになる。
【０００８】
そのため、従来は、顧客が燃料供給中にポンプ停止になった場合の対処方法が分かるまでにかなりの時間がかかり、給液所の効率が低下するばかりか、給液所に対する信頼性が低下してしまうという問題が生じる。
そこで、本発明は上記課題を解決した燃料供給システムを提供することを目的とする。
【課題を解決するための手段】
【０００９】
請求項１記載の発明は、被燃料供給体に対して燃料を供給するための燃料供給機と、
該燃料供給機自体の故障以外の異常を検出するための異常検出手段と、
該異常検出手段により異常が検出された場合に前記燃料供給機による燃料供給を停止させる停止手段と、
該停止手段により燃料供給が停止された情報を記憶する記憶手段と、
該記憶手段に記憶された情報に基づいて停止理由をモニタに表示する表示手段と、
を備えたことを特徴とする。
【００１０】
請求項２記載の発明は、前記異常検出手段が、前記燃料供給機から供給された燃料の供給量が所定量に達した場合に異常を検出することを特徴とする。
【００１１】
請求項３記載の発明は、前記異常検出手段が、前記燃料供給機を用いての燃料の供給可能状態が所定時間維持された場合に異常を検出することを特徴とする。
【発明の効果】
【００１２】
請求項１記載の発明によれば、燃料供給機自体の故障以外の異常が検出された場合、記憶手段に記憶された情報に基づいて停止理由をモニタに表示するため、停止手段が機能した理由が直ちにわかるので、給液所の係員が原因を調べる必要がなく、当該停止手段による燃料供給の停止を解除して燃料供給を再開させることが可能になり、給液所の効率低下を防止でき、給液所に対する信頼性低下も防止できる。
【００１３】
請求項２記載の発明によれば、燃料供給機から供給された燃料の供給量が所定量に達した場合に異常を検出した場合でも、その停止理由をモニタに表示することにより給液所の係員に報知することができる。
【００１４】
請求項３記載の発明によれば、燃料供給機を用いての燃料の供給可能状態が所定時間維持された場合でも、その停止理由をモニタに表示することにより給液所の係員に報知することができる。
【発明を実施するための最良の形態】
【００１５】
以下、図面と共に本発明の一実施例について説明する。
【実施例１】
【００１６】
図１は本発明になる燃料供給システムの一実施例を示す構成図である。
図１に示されるように、燃料供給システム１０は、給液エリア１２に設置された釣り銭機１４と、複数の燃料供給機１６（１６１〜１６ｎ）と、事務所１８内に設置されたＰＯＳ本体２０と、ＰＯＳ本体２０に接続された記憶装置２２とを有する。釣り銭機１４は、釣り銭を支払うための装置であり、係員の貨幣補充作業を容易にするため、事務所の近傍に設けられている。
【００１７】
尚、本実施例では、後述する給液情報及び監視情報をＰＯＳ本体２０のモニタ８４に表示する場合について説明するが、ＰＯＳ本体２０はＰＯＳ機能及び給液所の各機器を管理する管理コンピュータとしても機能するものである。また、給液情報及び監視情報をＰＯＳ本体２０のモニタ８４以外のディスプレイ装置に表示することも可能である。
【００１８】
燃料供給機１６は、セルフサービス給液方式の計量機２４と、計量機２４に搭載された設定器２６と、料金をその場で精算するための自動支払機（入金機）２８とを有する。また、釣り銭機１４及び複数の燃料供給機１６（１６１〜１６ｎ）は、通信回線（例えば、ＳＳ−ＬＡＮ）３０を介してＰＯＳ本体２０と接続されている。
【００１９】
また、給液エリア１２には、燃料供給機１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００２０】
図２は燃料供給機１６の正面図である。
【００２１】
図２に示されるように、燃料供給機１６は、セルフサービス方式の計量機２４からなり、操作部３８と、操作部３８の両側に起立する支柱４０，４２と、上部に横架されたホース支持部４４とを有する。
【００２２】
計量機２４の内部には、後述する各給液系統の電磁弁と、給液ポンプと、流量計などの各機器が設けられている。
【００２３】
操作部３８には、静電気除去シート４６と、静電気除去シート４６の右側に配置された設定器２６と、自動支払機２８と、インタホン４８とが設けられている。設定器２６は、液晶モニタなどからなるタッチパネル４９を有し、タッチパネル４９に表示された設定入力画面に触れることで液種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００２４】
また、タッチパネル４９は、設定器２６と流量表示器とを兼ねている。すなわち、給液開始前のタッチパネル４９は、設定器２６の設定操作部として機能すると共に、設定終了後のタッチパネル４９は、給液量を表示する給液量表示器として機能するように設けられている。そのため、設定器２６は、計量機２４と一体的に設けられており、設置スペースが縮小されている。これにより、給液所の限られた敷地により多くの燃料供給機１６を設置することが可能になる。
【００２５】
また、人検知センサ５０としては、例えば、光センサあるいはイメージセンサなどを用いたものであり、給液操作を行う操作者が設定器２６の前に立ったことを検知してその検知信号を出力する。
【００２６】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２７】
カード挿入部５４は、給液所が発行したプリペイドカード、あるいはクレジットカードを挿入されると、カードに記憶された情報を読み取り、給液が可能かどうかを設定器２６に表示させる。
【００２８】
レシート発行部５６は、給液が終了すると、液種、給液量、給液金額、消費税、合計金額などの給液情報を記載したレシートを発行する。
【００２９】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００３０】
図３は燃料供給機１６の各機器の構成を示すブロック図である。
図３に示されるように、燃料供給機１６の制御回路６６には、各給液経路に設けられた電磁弁６８、給液ポンプ７０、流量計７２、メモリ８０と、人検知センサ５０、ノズル掛け６２に設けられたノズルスイッチ７４、自動支払機２８に設けられた紙幣鑑別部７６、設定器２６、カード挿入部５４に設けられたカードＲ／Ｗ７８、インタホン４８と、レシート発行部５６に設けられたプリンタ８２と接続されている。
【００３１】
また、燃料供給機１６は、給液ポンプ７０が起動されてから所定時間が経過しても給液ノズル６０がノズル掛け６２に戻されない場合に燃料の過剰供給を防止するため、給液ポンプ７０を停止させる停止機能が設けられている。すなわち、制御回路６６は、ＰＯＳ本体２０から給液許可信号が入力されて給液ポンプ７０が起動されると、タイマが計時開始し、所定時間がカウントされても給液ポンプ７０が作動中であるときは、給液ポンプ７０を強制的に停止させる。
【００３２】
ここで、ＰＯＳ本体２０のモニタ８４に表示される画像の表示例について説明する。
図４はモニタ８４に表示される設定完了画像の表示例を示す図である。
【００３３】
図４に示されるように、モニタ８４は、タッチパネル式の液晶ディスプレイからなり、画面には、各燃料供給機１６（１６１〜１６４）を模式的に表示した燃料供給機マーク８６（８６１〜８６４）と、給液を行う給液エリア８８（８８１〜８８１０）と、各給液エリア８８（８８１〜８８１０）の状態（待機中、許可待ち、緊急停止中など）を表示する状態表示部９０（９０１〜９０１０）とが表示される。
【００３４】
また、モニタ８４の画面には、給液所の係員が操作するための緊急停止釦９２、メニュー釦９４、カメラ釦９６、停止釦９８、許可釦１００が表示される。
【００３５】
そして、例えば、燃料供給機１６３のタッチパネル４９を操作して液種（レギュラー）、給液方法（満タン）を設定すると、モニタ８４の画面には、３番の給液エリア８８３に設定された情報が表示される。
【００３６】
図５は許可待ち中表示例を示す図である。尚、図５では、３番の給液エリア８８３の表示のみを示し、他の表示エリアを省略してある。
図５に示されるように、給液許可待ち状態になると、３番の給液エリア８８３の表示色が他のエリアと異なる色（図５では色の代わりにハッチングで示す）に切替られ、係員から見やすくなるように表示される。また、状態表示部９０３には、「給液待」が表示される。
【００３７】
そして、設定完了の状態で給液ノズル６０がノズル掛け６２から外されると、給液要求信号がＰＯＳ本体２０に転送される。これに対して、給液エリア８８３の表示により設定完了を確認した係員は、モニタ８４の画面に表示された許可釦１００を押圧することで、設定完了した給液エリア８８３に対して給液許可を出力する。
【００３８】
図６は給液中の表示例を示す図である。尚、図６では、３番の給液エリア８８３の表示のみを示し、他の表示エリアを省略してある。
図６に示されるように、給液中になると、３番の給液エリア８８３の表示色が他のエリアと同じ色に切替られ、状態表示部９０３には、「給液中」が表示される。
【００３９】
すなわち、給液許可信号を受信した当該燃料供給機１６３では、顧客が給液ノズル６０をノズル掛け６２から外しているため、給液ポンプ７０が起動して給液可能な状態になる。そして、顧客が、給液ノズル６０を車両の給液口（図示せず）に挿入してノズルレバー（図示せず）を開弁操作することにより、給液ポンプ７０により送液された燃料の供給が開始される。
【００４０】
燃料供給機１６３の制御回路６６では、給液開始に伴って流量計７２から出力された流量パルスを積算して、給液量（積算流量４３．１０Ｌ）をタッチパネル４９に表示すると共に、ＰＯＳ本体２０に転送する。
【００４１】
そのため、モニタ８４の画面には、給液エリア８８３に燃料供給機１６３から転送された給液量及び選択した液種（この場合、レギュラー）の単価（９５円／Ｌ）が表示される。
【００４２】
車両の燃料タンクに供給された燃料の液面上昇により給液ノズル６０の吐出口（図示せず）が閉塞されると、給液ノズル６０の自動閉弁機構が作動して主弁を閉じる。
【００４３】
図７は給液終了状態の表示例を示す図である。尚、図７では、３番の給液エリア８８３の表示のみを示し、他の表示エリアを省略してある。
図７に示されるように、給液終了になると、３番の給液エリア８８３の表示色が他のエリアと同じ色のまま、状態表示部９０３には、「待機中」が表示される。
【００４４】
給液ノズル６０の自動閉弁機構が作動して満タン給液が終了すると、モニタ８４の画面に表示された給液量の数値が、例えば、積算流量１００Ｌで停止する。この後、モニタ８４の画面は、給液エリア８８３の給液情報の表示が消えて待機状態の表示に戻る。
【００４５】
また、本実施例の燃料供給機１６（１６１〜１６ｎ）では、セルフサービス方式であるので、予め決められた制限量が供給されたとき、あるいは給液ポンプ７０が起動されてから所定時間が経過しても燃料供給が終了しない場合には、給液ポンプ７０を強制的に自動停止させて過剰な燃料供給を防止する停止機能が設けられている。
【００４６】
図８はセルフ制限量に到達した場合の表示例を示す図である。
【００４７】
図８に示されるように、予め決められた制限量が供給されたときの停止の場合、例えば、ブザー音を発声すると共に、「給液ポイント〔３〕給液量制限に到達しました」といったメッセージ１０２がモニタ８４の画面中央に拡大表示される。これにより、係員は、給液ポイント〔３〕において、給液量制限によるポンプ停止が行われたことを即座に確認することができる。
【００４８】
また、セルフ制限時間に到達した場合、例えば、ブザー音を発声すると共に、「給液ポイント〔３〕給液時間制限に到達しました」といったメッセージがモニタ８４の画面中央に拡大表示される。これにより、係員は、給液ポイント〔３〕において、給液時間制限によるポンプ停止が行われたことを即座に確認することができる。
【００４９】
そのため、顧客が給液停止になった理由が分からずに、事務所に苦情を言ってきても、モニタ８４を見ていた係員は、その場で停止理由を顧客に説明して、給液停止を解除させる操作を行うことができる。また、ブザー音の停止、及び、上記メッセージの表示を解除させるべく係員が了解釦１０２ａを操作するまでは、上記停止理由のメッセージ１０２は消去されない。よって、例えば、顧客が給液ノズル６０をノズル掛け６２に戻すことにより給油ポイント〔３〕における給液が終了したとしても、上記メッセージはモニタ８４の画面中央に拡大表示された状態が保持されることとなるため、給液ノズル６０をノズル掛け６２に戻した後においても給油ポイント〔３〕の給液停止原因を把握することができる。
【００５０】
図９は燃料供給機１６での異常情報及び稼動情報が記憶されるデータベースを模式的に示した図である。
【００５１】
図９に示されるように、記憶装置２２には、異常情報及び稼動情報が記憶された異常情報及び稼動情報データベース１０４が設けられている。このデータベース１０４は、各機器毎の情報が今月分と過去の累計分とに分けて記憶されている。また、データベース１０４に記憶された内容としては、例えば、紙幣読み込み、プリカ読み込み、プリカ書き込み、プリカ発券、プリカ書き込みリトライ、プリカ印字リトライ、プリカ発券リトライ、プリカ排出リトライ、プリンタ枚数、ノズル１回数、ノズル２回数、ノズル３回数、液種検知回数、液種検知エラー回数、伝票発行機異常回数…などがある。
【００５２】
そして、このデータベース１０４に記憶された情報をモニタ８４に表示することによって係員に報知することができる。更には、この異常情報及び稼動情報の回数から例えば、故障が発生する可能性の高い異常情報の判別を行って今後発生しやすい異常項目を予測してモニタ８４に表示して係員に報知することもできる。このことをより具体的に説明すれば、例えば、図９に示されるように今月になってプリカ書き込みリトライが３２回、累計では５０回であることがデータベース１０４に記憶されていた場合にはおいては、今月になってプリカ書き込みリトライ回数が急激に増加していることからカード挿入部５４のカードＲ／Ｗ７８のメンテナンスが必要になっていることが分かり、この判定結果をモニタ８４に表示して係員に報知することもできる。
【００５３】
なお、上記判定の方法は、例えば当月のプリカ書き込みリトライ回数が所定回数を超えた場合にプリカ書き込みにおいて今後異常が発生する確率（異常発生確率）が高いと判定してもよく、また、累計値に対する当月のリトライ回数が所定率を超えた場合に異常発生確率が高いと判定してもよい。また、累計値が所定値以上となった場合にその機器に対する異常発生確率が高くなったと判断しても良い。また、液種検知については、液種検知をした回数に対する液種検知エラー回数が所定率以上に達した場合に異常発生確率が高くなったと判断しても良い。
【００５４】
ここで、燃料供給機１６の制御回路６６が実行する制御処理について図１０のフローチャートを参照して説明する。
【００５５】
図１０に示されるように、制御回路６６は、Ｓ１１で人検知センサ５０により顧客が来たことが検知されたかどうかを確認する。Ｓ１１において、人検知センサ５０から人検知信号が出力されると、Ｓ１２に進み、ガイダンスをタッチパネル４９に表示させて操作手順を報知する。
【００５６】
Ｓ１３では、燃料供給機１６により実際に給液が行なわれる前に顧客により操作されたことに基づく燃料供給機１６に搭載された各機器（紙幣鑑別部７６，設定器２６，カードＲ／Ｗ）の稼動回数をカウントする。続いて、Ｓ１４に進み、カウント値を日時と共にデータベース１０４に記憶させる。次のＳ１５では、タッチパネル４９の入力操作により設定された給液前情報（給液方法、液種、支払い方法等）が入力されたかどうかを確認する。Ｓ１５において、給液前情報が入力されないときは、上記Ｓ１２に戻り、Ｓ１２以降の処理を繰り返す。
【００５７】
また、Ｓ１５において、タッチパネル４９の操作により給液前情報が入力されたときは、Ｓ１６に進み、給液前情報をＰＯＳ本体２０に出力する。次のＳ１７では、ノズル外れ信号がノズルスイッチ７４から出力されたかどうかを確認する。
【００５８】
Ｓ１７において、ノズル外れ信号がノズルスイッチ７４から出力された場合、給液ノズル６０がノズル掛け６２から外されたものと判断してＳ１７ａに進み、液種検知処理を行う。給液ノズル６０が車両の給液口（図示せず）に挿入されることにより、給液口付近のベーパ（油蒸気）が吸引されて液種センサ（図示せず）によってベーパ濃度が検知される。そして、検知されたベーパ濃度を判定基準となる閾値と比較し、この比較結果に基づいて液種判定が行われる。この液種判定結果が予め顧客が設定した液種と一致した場合に給液可能となる。
【００５９】
尚、液種センサによるベーパ濃度の検出がエラーになった場合には、給液ノズル６０を車両の給液口（図示せず）に挿入するのが遅れてベーパが給液口から排出されてしまったり、あるいは風でベーパが拡散して液種検知エラーとなる。液種検知エラーの場合には、液種検知機能をキャンセルさせるか、あるいは液種検知をやり直すことになる。
【００６０】
続いて、Ｓ１８に進み、給液要求信号をＰＯＳ本体２０に出力する。そして、事務所の係員がモニタ８４の画面に表示された許可釦１００を押圧することにより、ＰＯＳ本体２０から当該燃料供給機１６に対して給液許可信号が出力される。
【００６１】
Ｓ１９では、ＰＯＳ本体２０から給液許可信号が入力されたかどうかを確認する。Ｓ１９において、給液許可信号が入力されると、Ｓ２０に進み、給液ポンプ７０を起動させる。続いて、Ｓ２１に進み、制限時間タイマによる計時を開始させる。次のＳ２２では、流量計７２から出力された流量パルスを積算して給液量を計測し、積算流量をタッチパネル４９に表示すると共に、ＰＯＳ本体２０に転送する。
【００６２】
続いて、Ｓ２３に進み、ノズル外れ信号がノズルスイッチ７４から出力されたかどうかを確認する。Ｓ２３において、ノズル外れ信号がノズルスイッチ７４から出力されないときは、給液ノズル６０がノズル掛け６２に戻されたものと判断してＳ２４に進み、給液終了信号をＰＯＳ本体２０に転送する。
【００６３】
そして、Ｓ２５で給液ポンプ７０の運転を停止させ、Ｓ２６で制限時間タイマによる計時を停止し、制限時間タイマをリセットする。次のＳ２６ａでは、今回の給液情報（液種、給液量、給液金額等）を印字した伝票（レシート）をプリンタ８２から発行させる。これで、今回の処理が終了する。
【００６４】
また、上記Ｓ２３において、ノズル外れ信号がノズルスイッチ７４から出力されたときは、給液ノズル６０がノズル掛け６２から外されたままであると判断し、Ｓ２７に移行する。このＳ２７では、今回の給液量（積算流量）が予め設定された制限量（閾値）以上かどうかを確認する。そして、Ｓ２７において、今回の給液量が制限量以上でないときは、Ｓ２８に進み、今回の給液時間（制限時間タイマのカウント値）が予め設定された制限時間（閾値）以上かどうかを確認する。そして、Ｓ２８において、今回の給液時間が制限時間以下のときは、上記Ｓ２２に戻る。
【００６５】
また、上記Ｓ２７において、今回の給液量が制限量以上であるときは、Ｓ２９に進み、制限量停止信号を出力し、Ｓ３０で給液ポンプ７０の運転を強制的に停止させる。そして、Ｓ３１では、ノズル外れ信号がノズルスイッチ７４から出力されたかどうかを確認する。Ｓ３１において、ノズル外れ信号がノズルスイッチ７４から出力されないときは、給液ノズル６０がノズル掛け６２に戻されたものと判断してＳ３２に進み、停止信号の出力を停止させる。その後、上記Ｓ２６に移行して制限時間タイマによる計時を停止し、制限時間タイマをリセットする。
【００６６】
また、上記Ｓ２８において、今回の給液時間が制限時間以上のときは、Ｓ３３に進み、制限時間停止信号を出力し、上記Ｓ３０〜Ｓ３２、Ｓ２６の処理を実行する。
【００６７】
このように、燃料供給機１６では、予め決められた制限量が供給されたとき、あるいは給液ポンプ７０が起動されてから所定時間が経過しても燃料供給が終了しない場合には、給液ポンプ７０を強制的に自動停止させて過剰な燃料供給を防止する停止機能が設けられているので、顧客の操作ミスにより過剰に給液してしまうことを防止できる。
【００６８】
ここで、ＰＯＳ本体２０が実行する監視処理（１）について図１１のフローチャートを参照して説明する。
【００６９】
図１１に示されるように、ＰＯＳ本体２０は、Ｓ４１で給液前情報（給液方法、液種、支払い方法等）が燃料供給機１６から入力されたかどうかを確認する。Ｓ４１において、給液前情報が入力されないときは、Ｓ４２に進み、給液要求信号が燃料供給機１６から入力されたかどうかを確認する。Ｓ４２において、給液要求信号が入力されないときは、Ｓ４３に進み、燃料供給機１６に対して給液許可されたかどうかを確認する。Ｓ４３において、給液許可されないときは、Ｓ４４に進み、燃料供給機１６から給液量（積算流量）のデータが入力されたかどうかを確認する。
【００７０】
そして、Ｓ４４において、給液量のデータが入力されないときは、Ｓ４５に進み、燃料供給機１６からノズル外れ信号が入力されたかどうかを確認する。Ｓ４５において、ノズル外れ信号が入力されないときは、Ｓ４６に進み、燃料供給機１６から制限量停止信号が入力されたかどうかを確認する。Ｓ４６において、制限量停止信号が入力されないときは、Ｓ４７に進み、燃料供給機１６から制限時間停止信号が入力されたかどうかを確認する。
【００７１】
そして、Ｓ４７において、制限時間停止信号が入力されないときは、Ｓ４８に進み、ブザー停止が指示されたかどうかを確認する。Ｓ４８において、ブザー停止の指示がないときは、今回の監視処理を終了する。
【００７２】
上記Ｓ４１において、給液前情報が入力されたときは、Ｓ４９に進み、給液前情報をモニタ８４の画面に表示する。また、Ｓ４２において、給液要求信号が入力されたときは、Ｓ５０に進み、現在の動作状態を示す「給液許可待ち」をモニタ８４の画面の当該燃料供給機１６に対応する表示エリアに表示する。
【００７３】
上記Ｓ４３において、給液許可されたときは、Ｓ５１に進み、給液許可信号を燃料供給機１６へ出力する。続いて、Ｓ５２に進み、現在の動作状態を示す「給液中」をモニタ８４の画面の当該燃料供給機１６に対応する表示エリアに表示する。
【００７４】
また、上記Ｓ４４において、給液量のデータが入力されたときは、Ｓ５３に進み、入力された給液量をモニタ８４の画面の当該燃料供給機１６に対応する表示エリアに表示する。また、Ｓ４５において、ノズル外れ信号が入力されたときは、Ｓ５４に進み、現在の動作状態を示す「給液終了」をモニタ８４の画面の当該燃料供給機１６に対応する表示エリアに表示する。続いて、Ｓ５５では、予め設定された所定時間が経過したかどうかを確認する。次のＳ５６では、現在の動作状態を示す「待機中」をモニタ８４の画面の当該燃料供給機１６に対応する表示エリアに表示する。
【００７５】
また、上記Ｓ４６において、制限量停止信号が入力されたときは、Ｓ５７に進み、「制限量停止表示」をモニタ８４の中央を拡大表示（図８参照）すると共に、ブザー音を発して係員に報知する。
【００７６】
また、上記Ｓ４７において、制限時間停止信号が入力されたときは、Ｓ５８に進み、「制限時間停止表示」をモニタ８４の中央を拡大表示すると共に、ブザー音を発して係員に報知する。また、上記Ｓ４８において、ブザー停止が指示されたときは、Ｓ５９に進み、停止表示を消去すると共に、ブザー音を停止する。
【００７７】
このように、ＰＯＳ本体２０は、上記監視処理（１）を所定時間毎に繰り返し実行して燃料供給機１６の動作状態を常に監視しており、燃料供給機１６から転送されたデータに基づいて動作状態をモニタ８４に表示して係員に報知すると共に、制限量停止信号または制限時間停止信号が入力されたときは、ブザー音と共に上記メッセージをモニタ８４の中央を拡大表示することにより、給液停止理由を確実に報知することができる。
【００７８】
ここで、ＰＯＳ本体２０が実行する監視処理（２）について図１２のフローチャートを参照して説明する。
【００７９】
図１２に示されるように、ＰＯＳ本体２０は、Ｓ６１で稼動情報の表示指示が行われたかどうかを確認する。Ｓ６１において、稼動情報の表示指示が行われたときは、Ｓ６２に進み、記憶装置２２に格納されたデータベース１０４（図９参照）を稼動情報としてモニタ８４に表示する。また、上記Ｓ６２の後は、後述するＳ６５、Ｓ６６の処理が実行される。
【００８０】
また、Ｓ６１において、稼動情報の表示指示が行われないときは、Ｓ６３に進み、エラー情報表示が指示されたかどうかを確認する。Ｓ６３において、エラー情報表示が指示されなかったときは、今回の処理を終了する。また、上記Ｓ６３において、エラー情報表示が指示されたときは、Ｓ６４に進み、エラー情報（例えば、カード挿入部５４のカードＲ／Ｗ７８で異常発生）をモニタ８４に表示して係員に報知する。
【００８１】
次のＳ６５では、モニタ８４に表示を戻すように「戻る」を操作したかどうかを確認する。Ｓ６５において、「戻る」が操作されたときは、Ｓ６６に進み、モニタ８４の画面表示を通常の監視画面（図４参照）の表示に切り替える。
【００８２】
このように、監視処理（２）では、図９に示すデータベース１０４に記憶された各項目毎の回数が累計に対してどの程度の割合で増加したかどうかで異常発生の可能性の有無を判定することができるので、故障になる前段階でメンテナンスを行うことが可能になる。そのため、異常が発生してから修理するまでの間、燃料供給機１６を使用できなくなるの対して、監視処理（２）により異常発生を予め予測することができるので、燃料供給機１６が使用できない時間をより短縮することができ、給液所の給液効率を高められる。
【産業上の利用可能性】
【００８３】
上記実施例では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給する燃料供給機にも適用できるのは勿論である。
【図面の簡単な説明】
【００８４】
【図１】本発明になる燃料供給システムの一実施例を示す構成図である。
【図２】燃料供給機１６の正面図である。
【図３】燃料供給機１６の各機器の構成を示すブロック図である。
【図４】モニタ８４に表示される設定完了画像の表示例を示す図である。
【図５】許可待ち中表示例を示す図である。
【図６】給液中の表示例を示す図である。
【図７】給液終了状態の表示例を示す図である。
【図８】セルフ制限量に到達した場合の表示例を示す図である。
【図９】燃料供給機１６での異常情報及び稼動情報が記憶されるデータベースを模式的に示した図である。
【図１０】燃料供給機１６の制御回路６６が実行する制御処理を説明するためのフローチャートである。
【図１１】ＰＯＳ本体２０が実行する監視処理（１）を説明するためのフローチャートである。
【図１２】ＰＯＳ本体２０が実行する監視処理（２）を説明するためのフローチャートである。
【符号の説明】
【００８５】
１０  燃料供給システム
１６（１６１〜１６ｎ）  燃料供給機
２０  ＰＯＳ本体
２４  計量機
２６  設定器
２８  自動支払機
３８  操作部
４９  タッチパネル
５０  人検知センサ
５２  紙幣挿入部
５４  カード挿入部
６０  給液ノズル
６２  ノズル掛け
６６  制御回路
７０  給液ポンプ
７２  流量計
８４  モニタ
８６（８６１〜８６４）  燃料供給機マーク
８８（８８１〜８８１０）  給液エリア
９０（９０１〜９０１０）  状態表示部
１００  許可釦
１０２  メッセージ
１０４  稼動情報データベース
【図１】
2005067684.tif 000003
【図２】
2005067684.tif 000004
【図３】
2005067684.tif 000005
【図４】
2005067684.tif 000006
【図５】
2005067684.tif 000007
【図６】
2005067684.tif 000008
【図７】
2005067684.tif 000009
【図８】
2005067684.tif 000010
【図９】
2005067684.tif 000011
【図１０】
2005067684.tif 000012
【図１１】
2005067684.tif 000013
【図１２】
2005067684.tif 000014